【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
ネットワークを介してメディアサーバに記録されている楽曲を再生するネットワークＡＶレシーバ装置において、
ネットワークに接続されている各メディアサーバに記録されている楽曲の楽曲情報を記憶する楽曲情報記憶部と、
現在再生している楽曲を入力するメディアサーバの入力状態を検出する入力状態検出部と、
メディアサーバからの楽曲の入力指示を制御する制御部とを備え、
前記制御部は、前記入力状態検出部が現在再生している楽曲データの入力状態が正常でないことを検出した場合、前記楽曲情報記憶部に記憶したメディアサーバに記録されている楽曲の楽曲情報に基づいて、現在再生している楽曲データと同一の楽曲名の楽曲データが他のメディアサーバにある場合、現在再生している楽曲データを当該他のメディアサーバに記録されている当該同一の楽曲名の楽曲データに切換え、現在再生している楽曲データと同一の楽曲名の楽曲データが他のメディアサーバに無い場合であって現在再生している楽曲データと同一テンポの楽曲データが他のメディアサーバにある場合、現在再生している楽曲データを当該他のメディアサーバに記録されている当該同一テンポの楽曲データに切換えることを特徴とするネットワークＡＶレシーバ装置。
【請求項２】
請求項１記載のネットワークＡＶレシーバ装置において、
前記制御部は、現在再生している楽曲データを他のメディアサーバに記録されている同一の楽曲名の楽曲データに切換える場合、現在再生している楽曲データのタイムコードと当該同一の楽曲名の楽曲データのタイムコードに基づいて楽曲データの再生が途中で途切れないよう制御しながら切換えることを特徴とするネットワークＡＶレシーバ装置。
【請求項３】
請求項１または２記載のネットワークＡＶレシーバ装置において、
前記制御部は、現在再生している楽曲データを他のメディアサーバに記録されている同一テンポの楽曲データに切換える場合、現在再生している楽曲データのテンポと当該同一テンポの楽曲データのテンポに基づいて当該現在再生している楽曲データのテンポと当該同一テンポの楽曲データのテンポを合わせて現在再生している楽曲をフェードアウトさせながら当該同一テンポの楽曲をフェードインさせるよう切換えることを特徴とするネットワークＡＶレシーバ装置。
【手続補正２】
【補正対象書類名】明細書
【補正対象項目名】０００５
【補正方法】変更
【補正の内容】
【０００５】
従来のネットワークＡＶレシーバ装置を用いたネットワークＡＶシステムは、ネットワーク接続された任意のメディアサーバから楽曲を入力し再生している最中に様々な原因でネットワークの接続不良が生じてしまうことがある。このように、ネットワークＡＶレシーバ装置が任意のメディアサーバから楽曲を入力し再生している最中にネットワーク接続不良が生じると、楽曲のデータを途中から入力することができなくなり、再生途中の楽曲が中断してしまう。
【手続補正３】
【補正対象書類名】明細書
【補正対象項目名】０００８
【補正方法】変更
【補正の内容】
【０００８】
本願の請求項１記載の発明は、ネットワークを介してメディアサーバに記録されている楽曲を再生するネットワークＡＶレシーバ装置において、ネットワークに接続されている各メディアサーバに記録されている楽曲の楽曲情報を記憶する楽曲情報記憶部と、現在再生している楽曲を入力するメディアサーバの入力状態を検出する入力状態検出部と、メディアサーバからの楽曲の入力指示を制御する制御部とを備え、前記制御部は、前記入力状態検出部が現在再生している楽曲データの入力状態が正常でないことを検出した場合、前記楽曲情報記憶部に記憶したメディアサーバに記録されている楽曲の楽曲情報に基づいて、現在再生している楽曲データと同一の楽曲名の楽曲データが他のメディアサーバにある場合、現在再生している楽曲データを当該他のメディアサーバに記録されている当該同一の楽曲名の楽曲データに切換え、現在再生している楽曲データと同一の楽曲名の楽曲データが他のメディアサーバに無い場合であって現在再生している楽曲データと同一テンポの楽曲データが他のメディアサーバにある場合、現在再生している楽曲データを当該他のメディアサーバに記録されている当該同一テンポの楽曲データに切換えることを特徴とする。
【手続補正４】
【補正対象書類名】明細書
【補正対象項目名】０００９
【補正方法】変更
【補正の内容】
【０００９】
本願の請求項２記載の発明は、請求項１記載のネットワークＡＶレシーバ装置において、前記制御部は、現在再生している楽曲データを他のメディアサーバに記録されている同一の楽曲名の楽曲データに切換える場合、現在再生している楽曲データのタイムコードと当該同一の楽曲名の楽曲データのタイムコードに基づいて楽曲データの再生が途中で途切れないよう制御しながら切換えることを特徴とする。
【手続補正５】
【補正対象書類名】明細書
【補正対象項目名】００１０
【補正方法】変更
【補正の内容】
【００１０】
本願の請求項３記載の発明は、請求項１または２記載のネットワークＡＶレシーバ装置において、前記制御部は、現在再生している楽曲データを他のメディアサーバに記録されている同一テンポの楽曲データに切換える場合、現在再生している楽曲データのテンポと当該同一テンポの楽曲データのテンポに基づいて当該現在再生している楽曲データのテンポと当該同一テンポの楽曲データのテンポを合わせて現在再生している楽曲をフェードアウトさせながら当該同一テンポの楽曲をフェードインさせるよう切換えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００２６
【補正方法】変更
【補正の内容】
【００２６】
先ず、ＡＶＲ１は、ＬＡＮ１００及びＨＵＢ２を介して、第１のメディアサーバ１０、第２のメディアサーバ２０及び第３のメディアサーバ３０とネットワーク接続を行う（ステップＳ１）。次に、制御部１０７は、ユーザが操作部１１０を操作することによって操作部１１０から楽曲の再生指示信号が出力されたか否かを監視する（ステップＳ２）。操作部１１０から楽曲の再生指示信号が出力された場合、制御部１０７は、入出力部１０１、楽曲検出部１０２、楽曲抽出部１０３及び楽曲情報記憶部１０８を制御し、ＨＵＢ２を介してＬＡＮ１００経由で接続された各メディアサーバに蓄積されている楽曲データの楽曲情報を入力し、楽曲情報記憶部１０８に記憶するよう制御する。楽曲検出部１０２は、制御部１０７の制御により、ＨＵＢ２及びＬＡＮ１００を介してネットワーク接続されているメディアサーバを検出する。楽曲抽出部１０３は、楽曲検出部１０２が検出したネットワーク接続されている各メディアサーバに蓄積されている楽曲に関するデータから各メディアサーバ毎の楽曲情報を抽出する。楽曲情報記憶部１０８は、楽曲抽出部１０３が抽出した各メディアサーバ毎の楽曲情報を記憶する（ステップＳ３）。本実施例において、楽曲抽出部１０３が記憶する各メディアサーバ毎の楽曲情報は{ HYPERLINK "http://www6.ipdl.inpit.go.jp/Tokujitu/tjitemdrwbs.ipdl?N0000=234&N0001=26&N0005=1fnfupUCsTUbpbPWaKl7&N0500=4JPA%20424211981%20%20%20%20%20%20%20&N0510=XtG8v37uLmW2Jz0wWNpe&N0552=9&N0553=000005" \t "tjitemdrwbs" ,図３}に示した内容とする。